(57)【特許請求の範囲】
【請求項１】
走行機体に連結機構により機枠を連結し、該機枠に旧畦上に土を盛り上げる盛土機構を設け、該盛土機構の進行方向後方位置に畦面を圧接回転により回転整畦可能な回転整畦体をもつ整畦機構を設け、上記回転整畦体は畦の一方側面を整畦可能な側面整畦体及び畦の上面を整畦可能な上面整畦体からなり、上記側面整畦体及び上記上面整畦体の各々の外周部分に複数個の圧締面体を間隔を置いて配設すると共に該各々の圧締面体に回転方向前方位置の圧締面体側から隣り合う後方位置の圧締面体の圧締面部に至る可撓弾性をもつ圧締板体を配設し、上記側面整畦体に配設された複数個の圧締板体は相互に剛性が大小に異なる数種類の板材からなり、上記上面整畦体に配設された複数個の圧締板体は相互に剛性が大小に異なる数種類の板材からなり、上記側面整畦体又は上記上面整畦体に配設された相互に剛性の異なる数種類の板材からなる複数個の圧締板体は、上記回転整畦体の回転方向に沿って小さい剛性の板材から次第に大きい剛性の板材へと順次繰り返して配列されることを特徴とする整畦機。
【請求項２】
走行機体に連結機構により機枠を連結し、該機枠に旧畦上に土を盛り上げる盛土機構を設け、該盛土機構の進行方向後方位置に畦面を圧接回転により回転整畦可能な回転整畦体をもつ整畦機構を設け、上記回転整畦体は畦の一方側面を整畦可能な側面整畦体及び畦の上面を整畦可能な上面整畦体からなり、上記側面整畦体及び上記上面整畦体の各々の外周部分に複数個の圧締面体を間隔を置いて配設すると共に該各々の圧締面体に回転方向前方位置の圧締面体側から隣り合う後方位置の圧締面体の圧締面部に至る可撓弾性をもつ圧締板体を配設し、上記側面整畦体に配設された複数個の圧締板体は相互に剛性が大小に異なる二種類の板材からなり、上記上面整畦体に配設された複数個の圧締板体は相互に剛性が大小に異なる二種類の板材からなり、上記側面整畦体又は上記上面整畦体に配設された相互に剛性が大小に異なる二種類の板材からなる複数個の圧締板体は、上記回転整畦体の回転方向に沿って交互に繰り返して配列されることを特徴とする整畦機。
【発明の詳細な説明】
【技術分野】
【０００１】
本発明は畦の造成作業や修復作業等に用いられる整畦機に関するものである。
【背景技術】
【０００２】
従来、この種の整畦機として、走行機体に連結機構により機枠を連結し、該機枠に旧畦上に土を盛り上げる盛土機構を設け、該盛土機構の進行方向後方位置に畦面を圧接回転により回転整畦可能な回転整畦体をもつ整畦機構を設け、上記回転整畦体の外周部分に複数個の圧締面体を間隔を置いて配設すると共に該各々の圧締面体に回転方向前方位置の圧締面体側から隣り合う後方位置の圧締面体の圧締面部に至る可撓弾性をもつ圧締板体を配設した構造のものが知られている。
【先行技術文献】
【特許文献】
【０００３】
【特許文献１】特許第４１５４５４５号
【特許文献２】特許第５００７８９８号
【特許文献３】特許第３７９６５９０号
【発明の概要】
【発明が解決しようとする課題】
【０００４】
一般的に、整畦作業においては、圃場及び畦の土質、例えば、粘土質、砂質、ボイドや、整畦作業時の気象条件、例えば、晴天、雨天等により畦の仕上状態が影響することが分かっており、例えば、複数個の圧締板体をもつ回転整畦体による整畦作業の場合には比較的砂質の土壌及び乾き状態での整畦作業に向き、反対に、金属や樹脂により製作されて全表面が連続面に形成された平滑な円錐状面や円筒状面をもつ回転整畦体による整畦作業の場合には比較的粘土質の土壌及び濡れ状態での整畦作業に向くことが判明している。
【０００５】
すなわち、上記比較的粘土質の土壌及び濡れ状態において、上記複数個の圧締板体をもつ回転整畦体により整畦作業を行った場合、仕上状態において、畦の表面が波打ったり、畦の表皮土の部分剥離により凹凸を呈したりして、表土が比較的に崩れ易く、畦土の内部の圧締状態が低下することがある。
【０００６】
しかしながら上記従来構造の場合、上記複数個の圧締板体は材質や板厚、形状が同じ板材が用いられており、すなわち、同じ剛性の板材からなる複数個の圧締板体が用いられている点を考慮し、ここに剛性とは、上記板材の材質、板材の厚さ、板材の断面形状などに依拠して定まり、単位変形を起こすのに必要な力（荷重／変形量）をいうとされ、土質及び整畦作業時の気象条件に影響されることなく、良好な仕上状態となる整畦作業が強く要望されているという不都合を有している。
【課題を解決するための手段】
【０００７】
本発明はこのような不都合を解決することを目的とするもので、本発明のうちで、請求項１記載の発明は、走行機体に連結機構により機枠を連結し、該機枠に旧畦上に土を盛り上げる盛土機構を設け、該盛土機構の進行方向後方位置に畦面を圧接回転により回転整畦可能な回転整畦体をもつ整畦機構を設け、上記回転整畦体は畦の一方側面を整畦可能な側面整畦体及び畦の上面を整畦可能な上面整畦体からなり、上記側面整畦体及び上記上面整畦体の各々の外周部分に複数個の圧締面体を間隔を置いて配設すると共に該各々の圧締面体に回転方向前方位置の圧締面体側から隣り合う後方位置の圧締面体の圧締面部に至る可撓弾性をもつ圧締板体を配設し、上記側面整畦体に配設された複数個の圧締板体は相互に剛性が大小に異なる数種類の板材からなり、上記上面整畦体に配設された複数個の圧締板体は相互に剛性が大小に異なる数種類の板材からなり、上記側面整畦体又は上記上面整畦体に配設された相互に剛性の異なる数種類の板材からなる複数個の圧締板体は、上記回転整畦体の回転方向に沿って小さい剛性の板材から次第に大きい剛性の板材へと順次繰り返して配列されることを特徴とする整畦機にある。
【０００８】
又、請求項２記載の発明は、走行機体に連結機構により機枠を連結し、該機枠に旧畦上に土を盛り上げる盛土機構を設け、該盛土機構の進行方向後方位置に畦面を圧接回転により回転整畦可能な回転整畦体をもつ整畦機構を設け、上記回転整畦体は畦の一方側面を整畦可能な側面整畦体及び畦の上面を整畦可能な上面整畦体からなり、上記側面整畦体及び上記上面整畦体の各々の外周部分に複数個の圧締面体を間隔を置いて配設すると共に該各々の圧締面体に回転方向前方位置の圧締面体側から隣り合う後方位置の圧締面体の圧締面部に至る可撓弾性をもつ圧締板体を配設し、上記側面整畦体に配設された複数個の圧締板体は相互に剛性が大小に異なる二種類の板材からなり、上記上面整畦体に配設された複数個の圧締板体は相互に剛性が大小に異なる二種類の板材からなり、上記側面整畦体又は上記上面整畦体に配設された相互に剛性が大小に異なる二種類の板材からなる複数個の圧締板体は、上記回転整畦体の回転方向に沿って交互に繰り返して配列されることを特徴とする整畦機にある。
【発明の効果】
【０００９】
本発明は上述の如く、請求項１記載の発明にあっては、走行機体を旧畦に沿って走行させ、一方では盛土機構が畦際の圃場泥土を旧畦上に連続的に跳ね上げて盛り上げ、他方では整畦機構が駆動され、回転整畦体は畦面を回転整畦し、上記回転整畦体は畦の一方側面を整畦可能な側面整畦体及び畦の上面を整畦可能な上面整畦体からなり、上記側面整畦体及び上記上面整畦体の各々の外周部分に複数個の圧締面体を間隔を置いて配設すると共に各々の圧締面体に回転方向前方位置の圧締面体側から隣り合う後方位置の圧締面体の圧締面部に至る可撓弾性をもつ圧締板体を配設してなるから、回転整畦体の回転に伴い圧締板体は徐々に盛土を締圧すると共に圧締面体により圧締板体を介して強く締圧され、この複数個の圧締面体の存在により畦面は断続的に締圧され、複数個の圧締面体の存在により回転整畦体の全外周面で締圧する構造に比べて締圧面積が小さくなることにより締圧力を大きくすることができ、それだけ強固に畦を締め付けることができ、かつ、圧締板体は可撓弾性を有しているので、圧締板体は平ら状から撓み動作しつつ盛土を徐々に締圧することができ、盛土を確実に締圧することができ、一層堅牢な畦を得ることができ、この際、上記側面整畦体に配設された複数個の圧締板体は相互に剛性が大小に異なる数種類の板材からなり、上記上面整畦体に配設された複数個の圧締板体は相互に剛性が大小に異なる数種類の板材からなるので、回転整畦体の側面整畦体の圧締板体及び上面整畦体の圧締板体により畦の上面及び一方側面を回転整畦することができ、上記側面整畦体又は上記上面整畦体の複数個の圧締板体は上記側面整畦体毎に又は上記上面整畦体毎に相互に剛性が大小に異なる数種類の板材からなるので、上記側面整畦体毎に又は上記上面整畦体毎に圧締板体の弾性率、撓み方、畦の圧接度合いの強弱が相互に異なる圧締板体を得ることができ、上記側面整畦体毎に又は上記上面整畦体毎に相互に剛性の異なる圧締板体で整畦作業を行うことにより、圃場及び畦の土質、整畦作業時の気象条件にそれほど影響されることがなく、かつ、上記側面整畦体又は上記上面整畦体に配設された相互に剛性の異なる数種類の板材からなる複数個の圧締板体は、上記回転整畦体の回転方向に沿って小さい剛性の板材から次第に大きい剛性の板材へと順次繰り返して配列されるから、上記回転整畦体の回転に伴って小さい圧締力から大きい圧締力へと次第に強く畦を圧締することができ、この繰り返しにより畦を圧締することができ、良好な仕上状態となる整畦作業を行うことができる。
【００１０】
又、請求項２記載の発明にあっては、走行機体を旧畦に沿って走行させ、一方では盛土機構が畦際の圃場泥土を旧畦上に連続的に跳ね上げて盛り上げ、他方では整畦機構が駆動され、回転整畦体は畦面を回転整畦し、上記回転整畦体は畦の一方側面を整畦可能な側面整畦体及び畦の上面を整畦可能な上面整畦体からなり、上記側面整畦体及び上記上面整畦体の各々の外周部分に複数個の圧締面体を間隔を置いて配設すると共に各々の圧締面体に回転方向前方位置の圧締面体側から隣り合う後方位置の圧締面体の圧締面部に至る可撓弾性をもつ圧締板体を配設してなるから、回転整畦体の回転に伴い圧締板体は徐々に盛土を締圧すると共に圧締面体により圧締板体を介して強く締圧され、この複数個の圧締面体の存在により畦面は断続的に締圧され、複数個の圧締面体の存在により回転整畦体の全外周面で締圧する構造に比べて締圧面積が小さくなることにより締圧力を大きくすることができ、それだけ強固に畦を締め付けることができ、かつ、圧締板体は可撓弾性を有しているので、圧締板体は平ら状から撓み動作しつつ盛土を徐々に締圧することができ、盛土を確実に締圧することができ、一層堅牢な畦を得ることができ、この際、上記側面整畦体に配設された複数個の圧締板体は相互に剛性が大小に異なる二種類の板材からなり、上記上面整畦体に配設された複数個の圧締板体は相互に剛性が大小に異なる二種類の板材からなるので、回転整畦体の側面整畦体の圧締板体及び上面整畦体の圧締板体により畦の上面及び一方側面を回転整畦することができ、上記側面整畦体又は上記上面整畦体の複数個の圧締板体は上記側面整畦体毎に又は上記上面整畦体毎に相互に剛性が大小に異なる二種類の板材からなるので、上記側面整畦体毎に又は上記上面整畦体毎に圧締板体の弾性率、撓み方、畦の圧接度合いの強弱が相互に異なる圧締板体を得ることができ、上記側面整畦体毎に又は上記上面整畦体毎に相互に剛性の異なる圧締板体で整畦作業を行うことにより、圃場及び畦の土質、整畦作業時の気象条件にそれほど影響されることがなく、圧締板体の種類を最小限に抑えながら、相互に剛性が大小に異なることによる効果を得ることができ、かつ、上記側面整畦体又は上記上面整畦体に配設された相互に剛性の異なる二種類の板材からなる複数個の圧締板体は、上記回転整畦体の回転方向に沿って交互に繰り返して配列されるから、畦面は交互に弱い強い弱い強いの締圧が繰り返してなされ、それだけ強固に畦を締め付けることができ、この繰り返しにより畦を圧締することができ、良好な仕上状態となる整畦作業を行うことができる。
【図面の簡単な説明】
【００１１】
【図１】本発明の実施の形態例の全体側面図である。
【図２】本発明の実施の形態例の部分拡大側面図である。
【図３】本発明の実施の形態例の部分平面図である。
【図４】本発明の実施の形態例の部分後面図である。
【図５】本発明の実施の形態例の前断面図である。
【図６】本発明の実施の形態例の部分拡大断面図である。
【図７】本発明の実施の形態例の部分拡大側面図である。
【図８】本発明の実施の形態例の使用状態の部分拡大側面図である。
【発明を実施するための形態】
【００１２】
図１乃至図８は本発明の実施の形態例を示し、１は走行機体であって、この場合、図１、図２、図３の如く、トラクタが用いられ、走行機体１の後部に三点リンク式の連結機構２により機枠３を上下動可能に連結している。
【００１３】
４は盛土機構であって、この場合、図２、図３、図４、図５の如く、盛土ロータ５からなり、盛土ロータ５はロータ胴５ａの外周に複数個の掻上刃５ｂ・・を突設すると共にロータ胴５ａに取付軸５ｃを突設してなり、上記機枠３に整畦機体６を突設し、整畦機体６に盛土ロータ５の上方及び畦Ｗの上方を覆う形状のカバー部材６ａが取り付けられ、機枠３に走行機体１に設けられた動力取出軸１ａにより回転する主軸７を軸受し、整畦機体６に中間軸８を畦造成方向と平行にして回転自在に設け、中間軸８に取付軸５ｃを連結し、主軸７の回転によりギヤ列９、自在継手１０、ギヤ列１１、中間軸８を経て盛土ロータ５を回転させ、盛土ロータ５の回転により畦Ｗ際の圃場Ｍの土を削出軌跡Ｎをもって削出して旧畦Ｗに向けて跳ね上げて盛り上げるように構成している。
【００１４】
１２は整畦機構であって、この場合、図６、図８の如く、畦Ｗ面を外周部分の圧接回転により回転整畦可能な回転整畦体１３と回転機構１４とからなり、回転整畦体１３は畦Ｗの一方側面Ｗ2を整畦可能な側面整畦体１５及び畦Ｗの上面Ｗ1を整畦可能な上面整畦体１６とを着脱自在に設けてなり、回転軸線Ｐを角度θの斜め上向き方向に配置し、回転整畦体１３を回転機構１４により回転軸線Ｐを中心として図中矢印方向Ｖに強制回転させるように構成している。
【００１５】
この場合、図３、図６、図７、図８の如く、上記側面整畦体１５にあっては、大径のリング材１５ａ、中径のリング材１５ｂ及び小径のリング材１５ｃ間に複数個、この場合、八個の板状の桟材１５ｄ・・を間隔を置いて放射状に溶接固着し、整畦機体６に駆動軸１７を回転軸線Ｐを角度θの斜め上向き方向にして配置し、上記回転機構１４として、駆動軸１７を上記ギヤ列１１を介して回転させ、駆動軸１７は六角軸状に形成され、側面整畦体１５の回転軸線Ｐ上に駆動軸１７に挿通可能な六角穴をもつ挿通筒１５ｅを配置し、挿通筒１５ｅと上記中径のリング材１５ｂ及び小径のリング材１５ｃ間に複数個、この場合、八個の連結材１５ｆ・・を溶接固定し、挿通筒１５ｅを固定ピン１５ｇにより駆動軸１７に固定し、複数個の桟材１５ｄ・・を圧締面体Ｋ・・に形成して側面整畦体１５の外周部分に複数個の圧締面体Ｋ・・を間隔を置いて配設すると共に各々の圧締面体Ｋ・・の外面を圧締面部Ｋ1とし、各々の圧締面体Ｋ・・に回転方向前方位置の圧締面体Ｋ側から隣り合う後方位置の圧締面体Ｋの圧締面部Ｋ１に至る可撓弾性をもつ圧締板体Ｇをボルト及びナットからなる取付材Ｋ2により取付け、隣り合う圧締面体Ｋ・Ｋ間に空間部Ｒが形成されることになる。
【００１６】
又、この場合、図６、図７、図８の如く、上記上面整畦体１６にあっては、大径のリング材１６ａ及び小径のリング材１６ｂ間に複数個、この場合、八個の板状の桟材１６ｃ・・を間隔を置いて放射状に溶接固着し、上記六角軸状に形成された駆動軸１７の先端部に六角穴をもつ挿通筒１６ｄを配置し、挿通筒１６ｄと上記大径のリング材１６ａ及び小径のリング材１６ｂ間に複数個、この場合、前後四個ずつ計八個の連結杆１６ｅ・・を溶接固定し、挿通筒１６ｄを固定ピン１６ｆにより駆動軸１７に固定し、複数個の桟材１６ｃ・・を圧締面体Ｋ・・に形成して上面整畦体１６の外周部分に複数個の圧締面体Ｋ・・を間隔を置いて配設すると共に各々の圧締面体Ｋ・・の外面を圧締面部Ｋ1とし、各々の圧締面体Ｋ・・に回転方向前方位置の圧締面体Ｋ側から隣り合う後方位置の圧締面体Ｋの圧締面部Ｋ１に至る可撓弾性をもつ圧締板体Ｇをボルト及びナットからなる取付材Ｋ2により取付け、隣り合う圧締面体Ｋ・Ｋ間に空間部Ｒが形成されることになる。
【００１７】
この場合、上記複数個の圧締板体Ｇ・・は可撓弾性を有するナイロン樹脂や塩化ビニール樹脂等の合成樹脂板により製作され、無負荷時には板状に略平らとなり、外的負荷により弧状に撓み得ると共に負荷解除により自己弾性により略平らに復元変形する材質が用いられている。尚、圧締板体Ｇは板バネに用いられるバネ鋼製等の金属板材や他の樹脂板材を用いることもある。
【００１８】
かつ、上記側面整畦体１５又は上記上面整畦体１６に配設された複数個の圧締板体Ｇ・・は相互に剛性が大小に異なる数種類の板材からなり、さらに、上記側面整畦体１５又は上記上面整畦体１６に配設された相互に剛性の異なる数種類の板材からなる複数個の圧締板体Ｇ・・は、上記回転整畦体１３の回転方向に沿って小さい剛性の板材から次第に大きい剛性の板材へと順次繰り返して配列され、この場合、上記側面整畦体１５又は上記上面整畦体１６に配設された複数個の圧締板体Ｇ・・は、板厚の薄い圧締板体ＧＵ及び板厚の厚い圧締板体ＧＡの二種類の板材からなり、この上記側面整畦体１５又は上記上面整畦体１６に配設された相互に剛性が大小に異なる二種類の板材からなる複数個の圧締板体Ｇ・・は、上記回転整畦体１３の回転方向に沿って交互に繰り返して配列して構成している。尚、圧締板体Ｇ・・は二種類の板材に限らず、大中小の三種類や大中小極小の四種類など複数種類の板材を採用することもできる。
【００１９】
又、この場合、上記圧締板体Ｇ・・の剛性の大小を定めるにあたり、上記板材の厚さの厚い薄いの断面積要素に依拠するようにしているが、板材の材質、例えば、ステンレス鋼板、各種の合金、樹脂材からなる板材を用いたり、横断面を弧状に形成するなどの断面２次モーメントなどの板材の形状要素などに依拠して定めることもある。
【００２０】
１８は削土機構であって、この場合、図３、図５の如く、上記中間軸８に保持枠１９の基部を中間軸８と同心上に枢着し、保持枠１９の先端部にロータ軸２０を回転自在に取付け、ロータ軸２０に複数個のナギナタ状の刃体をもつ削土ロータ２１を取付け、削土ロータ２１の上部にカバー２２を配置し、中間軸８とロータ軸２０との間にチェーン機構２３を架設し、上記盛土機構４の盛土ロータ５の進行方向前方位置の旧畦Ｗの上面Ｗ１部分を削土ロータ２１によって削出軌跡Ｓをもって回転削土するように構成したものである。
【００２１】
この実施の形態例は上記構成であるから、図１、図２、図３、図８の如く、走行機体１を旧畦Ｗに沿って図中矢印方向Ｑに走行させると共に動力取出軸１ａを回転すると、一方では盛土機構４の盛土ロータ５が畦Ｗ際の圃場Ｍ泥土を旧畦Ｗ上に連続的に跳ね上げて盛り上げ、カバー部材６ａは盛土ロータ５の上方及び畦Ｗ側方への泥土飛散を防止し、跳ね上げられた泥土は外方飛散を防がれて自重落下し、他方では走行機体１の動力取出軸１ａを駆動源として整畦機構１２が駆動され、回転整畦体１３は畦Ｗ面を回転整畦し、この場合、畦Ｗの一方側面Ｗ２を整畦可能な側面整畦体１５及び畦Ｗの上面Ｗ１を整畦可能な上面整畦体１６からなり、回転整畦体１３は回転機構１４により図８中、矢印方向Ｖとしての走行機体１の前進を助長する方向に回転し、回転整畦体１３により畦Ｗの上面Ｗ１及び一方側面Ｗ２を整畦することができ、走行機体１の走行速度に対して回転整畦体１３の回転速度を高めることにより回転整畦体１３は畦Ｗ面に回転すべり接触し、回転すべり接触により畦Ｗの一方側面Ｗ2及び畦Ｗの上面Ｗ1を円滑かつ強固に締圧整畦することができ、かつ、上記回転整畦体１３の外周部分に複数個の圧締面体Ｋ・・を間隔を置いて配設すると共に各々の圧締面体Ｋ・・に回転方向前方位置の圧締面体Ｋ側から隣り合う後方位置の圧締面体Ｋの圧締面部Ｋ１に至る可撓弾性をもつ圧締板体Ｇ・・を配設してなるから、回転整畦体１３の回転に伴い、図８の如く、圧締板体Ｇ・・は自己の可撓弾性により畦Ｗ面の圧接位置と復元位置との間でフラップ動作して徐々に盛土を締圧すると共に圧締面体Ｋにより圧締板体Ｇを介して強く締圧され、圧締板体Ｇ・・は、この複数個の圧締面体Ｋ・・の存在により断続的に締圧され、複数個の圧締面体Ｋ・・の存在により回転整畦体１３の全外周面で締圧する構造に比べて締圧面積が小さくなることにより締圧力を大きくすることができ、それだけ強固に畦Ｗを締め付けることができ、かつ、圧締板体Ｇは可撓弾性を有しているので、圧締板体Ｇは平ら状から撓み動作しつつ盛土を徐々に締圧することができ、盛土を確実に締圧することができ、一層堅牢な畦Ｗを得ることができる。
【００２２】
かつ、この場合、図５、図６、図７、図８の如く、上記側面整畦体１５及び上面整畦体１６は各々の圧締面体Ｋ・・に回転方向前方位置の圧締面体Ｋ側から隣り合う後方位置の圧締面体Ｋの圧締面部Ｋ１に至る可撓弾性をもつ圧締板体Ｇを配設し、さらに、各々の圧締面体Ｋ・・に回転方向前方位置の圧締面体Ｋ側から隣り合う後方位置の圧締面体Ｋの圧締面部Ｋ１に至る可撓弾性をもつ圧締板体Ｇを配設したことにより、上面整畦体１６及び側面整畦体１５の隣り合う圧締面体Ｋ・Ｋ間に空間部Ｒが形成され、空間部Ｒの存在により一層断続的に畦Ｗ面を締圧することになり、それだけ、強固に締圧することができると共に空間部Ｒの存在により圧締板体Ｇは平ら状から内方へ湾曲状に撓み動作しつつ盛土を徐々に締圧することができ、盛土を確実に締圧することができ、一層堅牢な畦Ｗを得ることができると共に圧締板体Ｇへの土の付着現象を抑制することができ、良好な整畦作業を行うことができる。
【００２３】
この際、上記複数個の圧締板体Ｇ・・は相互に剛性が大小に異なる数種類の板材からなるので、相互に剛性が大小に異なることにより、例えば、圧締板体Ｇ・・の弾性率、撓み方、畦Ｗの圧接度合いの強弱が相互に異なる圧締板体Ｇ・・を得ることができ、相互に剛性の異なる圧締板体Ｇ・・で整畦作業を行うことにより、圃場Ｍ及び畦Ｗの土質、整畦作業時の気象条件にそれほど影響されることなく、良好な仕上状態となる整畦作業を行うことができる。
【００２４】
この場合、上記回転整畦体１３は畦Ｗの一方側面Ｗ２を整畦可能な側面整畦体１５及び畦Ｗの上面Ｗ１を整畦可能な上面整畦体１６からなり、上記側面整畦体１５及び又は上記上面整畦体１６、この場合、上記側面整畦体１５及び上記上面整畦体１６のいずれにおいても、各々の外周部分に複数個の圧締面体Ｋ・・を間隔を置いて配設すると共に各々の圧締面体Ｋ・・に回転方向前方位置の圧締面体Ｋ側から隣り合う後方位置の圧締面体Ｋの圧締面部Ｋ１に至る可撓弾性をもつ圧締板体Ｇ・・を配設し、上記複数個の圧締板体Ｇ・・は相互に剛性が大小に異なる数種類の板材からなるので、回転整畦体１３の回転に伴い、図８の如く、圧締板体Ｇ・・は自己の可撓弾性により畦Ｗ面の圧接位置と復元位置との間でフラップ動作して回転整畦体１３の側面整畦体１５の圧締板体Ｇ・・及び上面整畦体１６の圧締板体Ｇ・・により畦Ｗの上面Ｗ１及び一方側面Ｗ２を回転整畦することができ、上記側面整畦体１５に配設された複数個の圧締板体Ｇ・・は相互に剛性が大小に異なる数種類の板材からなり、上記上面整畦体１６に配設された複数個の圧締板体Ｇ・・は相互に剛性が大小に異なる数種類の板材からなるので、回転整畦体１３の側面整畦体１５の圧締板体Ｇ・・及び又は上面整畦体１６の圧締板体Ｇ・・により畦Ｗの上面Ｗ１及び又は一方側面Ｗ２を回転整畦することができ、上記側面整畦体１５又は上記上面整畦体１６の複数個の圧締板体Ｇ・・は上記側面整畦体１５毎に又は上記上面整畦体１６毎に相互に剛性が大小に異なる数種類の板材からなるので、上記側面整畦体１５又は上記上面整畦体１６の圧締板体Ｇ・・は上記側面整畦体１５毎に又は上記上面整畦体１６毎に相互に剛性が大小に異なることにより、上記側面整畦体１５毎に又は上記上面整畦体１６毎に圧締板体Ｇ・・の弾性率、撓み方、畦Ｗの圧接度合いの強弱が相互に異なる圧締板体Ｇ・・を得ることができ、上記側面整畦体１５毎に又は上記上面整畦体１６毎に相互に剛性の異なる圧締板体Ｇ・・で整畦作業を行うことにより、圃場Ｍ及び畦Ｗの土質、整畦作業時の気象条件にそれほど影響されることなく、良好な仕上状態となる整畦作業を行うことができ、又、この場合、上記側面整畦体１５又は上記上面整畦体１６に配設された相互に剛性の異なる数種類の板材からなる複数個の圧締板体Ｇ・・は、上記回転整畦体１３の回転方向に沿って小さい剛性の板材から次第に大きい剛性の板材へと順次繰り返して配列されるから、上記回転整畦体１３の回転に伴って、小さい圧締力から大きい圧締力へと次第に強く畦Ｗを圧締することができ、この繰り返しにより畦Ｗを圧締することができ、良好な仕上状態となる整畦作業を行うことができる。
【００２５】
又、この場合、上記側面整畦体１５又は上記上面整畦体１６に配設された複数個の圧締板体Ｇ・・は相互に剛性が大小に異なる二種類の板材からなるので、圧締板体Ｇ・・の種類を最小限に抑えながら、相互に剛性が大小に異なることによる効果を得ることができ、又、この場合、上記側面整畦体１５又は上記上面整畦体１６に配設された相互に剛性が大小に異なる二種類の板材からなる複数個の圧締板体Ｇ・・は、上記回転整畦体１３の回転方向に沿って交互に繰り返して配列されるから、二種類の圧締板体Ｇ・・のフラップ動作により畦Ｗ面は交互に弱い強い弱い強いの締圧が繰り返してなされ、それだけ強固に畦Ｗを締め付けることができ、又、この場合、上記剛性の大小は上記板材の材質、板材の厚さ、板材の断面形状などに依拠して定めるから、圧締板体Ｇ・・の剛性を容易に定めることができる。
【００２６】
なお、上記実施の形態例においては、上記回転整畦体１３は側面整畦体１５及び上面整畦体１６からなり、この側面整畦体１５及び上面整畦体１６のいずれにも、複数個の圧締面体Ｋ・・をもつ構造としているが、側面整畦体１５又は上面整畦体１６のいずれか一方については、上記実施の形態例と同様な複数個の圧締板体Ｇ・・をもつ構造の回転整畦体１３とすると共に他方については、金属や樹脂により製作されて全表面が連続面に形成された表面が平滑な円錐状面や円筒状面をもつ構造の回転整畦体１３とすることもできる。
【００２７】
かつ、この場合、図５、図６、図７、図８の如く、上記上面整畦体１６は各々の圧締面体Ｋ・・に回転方向前方位置の圧締面体Ｋ側から隣り合う後方位置の圧締面体Ｋの圧締面部Ｋ１に至る可撓弾性をもつ圧締板体Ｇを配設し、さらに、各々の圧締面体Ｋ・・に回転方向前方位置の圧締面体Ｋ側から隣り合う後方位置の圧締面体Ｋの圧締面部Ｋ１に至る可撓弾性をもつ圧締板体Ｇを配設したことにより、上面整畦体１６及び側面整畦体１５の隣り合う圧締面体Ｋ・Ｋ間に空間部Ｒが形成され、空間部Ｒの存在により一層断続的に畦Ｗ面を締圧することになり、それだけ強固に締圧することができると共に空間部Ｒの存在により圧締板体Ｇは平ら状から内方へ湾曲状に撓み動作しつつ盛土を徐々に締圧することができ、盛土を確実に締圧することができ、一層堅牢な畦Ｗを得ることができると共に圧締板体Ｇへの土の付着現象を抑制することができ、それだけ、良好な整畦作業を行うことができる。
【００２８】
又、この場合、図３、図４、図５の如く、削土機構１８により旧畦Ｗ面を予め削土でき、この削土された畦Ｗ面上に盛土機構４により盛土することになるから、旧畦Ｗ土と盛土との結着性を高めることができ、それだけ強固な畦Ｗを得ることができる。
【００２９】
尚、本発明は上記実施の形態例に限られるものではなく、例えば、上記回転整畦体１３の回転軸線Ｐを傾けずに水平方向とした構造、回転整畦体１３の構造、圧締面体Ｋ及び圧締板体Ｇの個数や形状、圧締板体Ｇの大きさや材質等は適宜変更して設計される。
【００３０】
以上の如く、所期の目的を充分達成することができる。
【符号の説明】
【００３１】
Ｗ    畦
Ｗ1    上面
Ｗ2    一方側面
Ｋ    圧締面体
Ｋ1    圧締面部
Ｇ    圧締板体
１    走行機体
２    連結機構
３    機枠
４    盛土機構
１２    整畦機構
１３    回転整畦体
１５    側面整畦体
１６    上面整畦体
【図１】
0006332796.tif 000002
【図２】
0006332796.tif 000003
【図３】
0006332796.tif 000004
【図４】
0006332796.tif 000005
【図５】
0006332796.tif 000006
【図６】
0006332796.tif 000007
【図７】
0006332796.tif 000008
【図８】
0006332796.tif 000009